(57)【要約】【課題】  落下や衝突等をしたときに脚が変形せず、かつ、無駄な梱包材料を使用しないで梱包できる脚を備えた分離型空気調和機の提供する。【解決手段】  脚２０は、連結部材が挿入される穴２１と、底板１１側に突起した凸部２２と、凸部２２を各無用に切り欠かれたスリット２３とを備える。底板１１には、連結部材が挿入される穴１２と、凸部が嵌合する凹部１３とを備える。脚２０は、連結部材３０を介してキャビネット１０に回転自在に連結される。  上記構成により、脚２０は、キャビネット１０の外郭からその一部が突出する設置姿勢と、キャビネット１０の外郭の範囲内に脚２０の全体が納まる収納姿勢とに切り替わる。【選択図】図２
2009014317.tif 000002
【特許請求の範囲】
【請求項１】
キャビネットの下端に設けられた底板に脚が取り付けられた空気調和機であって、
前記底板の外郭から脚の一部が突出する設置姿勢と、前記底板の外郭の範囲内に前記脚の全体が納まる収納姿勢とに切り替わるように、前記脚が前記底板に対して回転自在に取り付けられたことを特徴とする分離型空気調和機。
【請求項２】
底板または脚のいずれか一方に、他方側に突設する凸部と、前記凸部をその突出方向に変位させる変位部とを備え、
前記他方には、各姿勢を保持するために、前記凸部を嵌合する凹部が形成されたことを特徴とする請求項１に記載の分離型空気調和機。
【請求項３】
底板および脚に穴がそれぞれ形成され、
前記穴に連結部材が挿通され、
前記底板と前記脚が接続されたことを特徴とする請求項１または２に記載の分離型空気調和機。
【発明の詳細な説明】
【技術分野】
【０００１】
本発明は、キャビネットの下端に設けられた底板に脚が取り付けられた分離型空気調和機に関する。
【背景技術】
【０００２】
空気調和機の室外機Ｂは、図９に示すように、その底板５０に一対の脚５１が備えられる。脚５１は、スポット溶接や連結部材等によって底板５０に固定されている。例えば、特許文献１には、脚に形成された穴に連結部材を圧入し、圧入した連結部材の一端を底板の穴に挿入して、脚を底板に固定する脚の取付構造が開示されている。
【０００３】
ところで、室外機は、脚を設置場所や据付け台等に固定することで設置される。そこで、室外機の据付け作業を容易に行なえるように、脚は、その一部を室外機の外郭から突出させて取り付けられている。しかし、室外機の外郭から脚が突出していると、室外機を落下させたり、壁等に衝突させたりすると、突出した脚が変形してしまう問題がある。
【０００４】
そこで、室外機を落下させたり、衝突させたりした場合であっても、室外機の外郭から突出した脚が変形しないように、その脚を覆うように緩衝材を包装するといった梱包を行なっている。
【特許文献１】特開２００３−０２８４６３公報
【発明の開示】
【発明が解決しようとする課題】
【０００５】
ところで、室外機の外郭から突出した脚を覆うように緩衝材を包装する梱包をするのでは、梱包部材が多くなり、梱包作業の能率が悪い問題がある。また、昨今は、環境保護の観点から、過剰包装による無駄な梱包材料を使用しないように、梱包方法の見直しが急務となっている。
【０００６】
そこで、本発明は、上記問題を鑑み、落下や衝突等をしたときに脚が変形せず、さらには、無駄な梱包材料を使用しないで梱包できる脚の取付構造を提供することを目的とする。
【課題を解決するための手段】
【０００７】
上記目的を達成するために、本発明では、キャビネットの下端に設けられた底板に脚が取り付けられた空気調和機であって、前記底板の外郭から脚の一部が突出する設置姿勢と、前記底板の外郭の範囲内に前記脚の全体が納まる収納姿勢とに切り替わるように、前記脚が前記底板に対して回転自在に取り付けられたことを特徴とする。
【０００８】
脚は、底板に対して回転することで、その姿勢を切り替える。この構成によると、脚は、梱包するときあるいは設置するときで適した姿勢に切り替えられる。そのため、例えば、脚を収納姿勢にすることで、落下や衝突等による脚の変形を防止することができる。突出した脚を梱包する緩衝材を削減することができる。
【０００９】
脚を設置姿勢にすることで、キャビネットを安定して支持できる。突出した脚を、設置場所や据付け台等に容易に固定できる。
【００１０】
脚は、底板に対して回転自在に取り付けられている。そのため、脚は、各姿勢を維持するのが難しい。そこで、底板または脚のいずれか一方に、他方側に突設する凸部と、前記凸部をその突出方向に変位させる変位部とを備え、前記他方には、各姿勢を保持するために、前記突起を嵌合する凹部が形成される。この構成によると、凸部が凹部に嵌まると、脚の回転は規制される。これにより、各姿勢を維持できる。
【００１１】
変位部は、凸部をその突出方向に変位させるために、弾性変位が可能とされる。この構成により、変位部の弾性変位によって、凸部は、凹部に対して、嵌合したり、外れたりすることができる。
【００１２】
底板と脚は、連結部材を介して接続され、前記底板および前記脚には、前記連結部材を挿通する穴がそれぞれ形成され、前記底板および前記脚のいずれか一方側の穴の周端には、シール性および強度を保つために、他方側に突出し、前記他方側の穴に嵌まるバーリングが形成される。
【００１３】
上記構成によると、脚を連結部材を介して底板に取り付けると、バーリングが穴に嵌まる。そのため、例えば、前記穴から粉塵や水等が底板内に入るのを防止できる。そのため、穴を密閉するシール剤が不要となる。
【発明の効果】
【００１４】
以上のとおり、本発明は、脚がキャビネットの下端に設けられた底板に回転自在に取り付けられているため、脚を設置姿勢と収納姿勢とに切り替えられる。脚が収納姿勢のときは、キャビネットの外郭から脚が突出しないため、キャビネットを落下させたり、衝突させたりしても、脚が変形しない。また、出荷時の梱包においても、脚を覆う緩衝材を削減でき、過剰包装を防止することができる。
【発明を実施するための最良の形態】
【００１５】
以下、本発明に係る脚の取付構造について説明する。なお、説明の便宜上、実施形態は、空気調和機の室外機に備えた形態とする。
【００１６】
図１および図２は、本発明に係る脚の取付構造を備えた分離型空気調和機の室外機Ａの実施形態を示す斜視図である。図中の１０は室外機Ａの外郭を形成するキャビネット１０を示し、１１はキャビネット１０の下端に配置された底板１１を示し、２０は底板１１に連結部材３０を介して備えられた２つの脚２０を示す。
【００１７】
各脚２０は、端部側の厚みが薄く形成された板状とされる。脚２０の長手方向の長さは、底板１１の短手方向の長さよりも大とされる。脚２０の両端部には、脚２０を設置場所や据付け台等に固定するための取付部が形成される。これにより、室外機の据付け作業を容易に行なえる。
【００１８】
脚２０の中央には、連結部材３０が挿通される穴２１と、底板１１側に突設する凸部２２と、切り込みであるスリット２３が形成される。
【００１９】
各穴２１は、脚２０の中央に形成され、表面から底面に貫通された貫通穴とされる。各穴２１は、図３に示すように、その内径が連結部材３０の外径より大に形成される。各穴２１の周端には、底板１１側に突出したバーリング２４が形成される。凸部２２は、穴２１を挟んで長手方向に対向する位置に形成される。
【００２０】
スリット２３は、図４に示すように、凸部２２を囲むように形成される。スリット２３は、その一方の切り込み端と他方の切り込み端とを結んだ線を軸にして、凸部２２をその突起方向に弾性変位させる変位部とされる。
【００２１】
底板１１は、左右方向に長い板状に形成される。底板１１には、図２に示すように、連結部材３０が挿通する２つの穴１２と、脚２０に形成された凸部２２が嵌合する８つの凹部１３が形成される。
【００２２】
各穴１２は、図３に示すように、底板１１の表面から底面に貫通された貫通穴とされる。各穴１２は、底板１１の前後方向に対して中央で、かつ、左右の側壁の近傍にそれぞれ形成される。穴１２の直径は、バーリング２４が嵌まるように、バーリング２４の外径よりも大とされる。凹部１３は、穴１２を中心とした円周上に形成される。
【００２３】
連結部材３０は、円筒状の軸３１と、その軸３１の一端側に脚２０の穴２１の直径より大きいフランジ３２と、他端側に塑性変形させるとフランジ３２と同様の形状になるカシメ部３３とから構成される。連結部材３０は、カシメ部３３側から脚２０の穴２１、キャビネット１０の穴１２の順に挿入する。カシメ部３３を脚２０の穴２１とキャビネット１０の穴１２に挿入すると、バーリング２４は、キャビネット１０の穴１２に嵌まる。その後、フランジ３２を押さえながら、底板１１の上面から突出したカシメ部３３を加圧して塑性変形させる。これにより、連結部材３０は、脚２０を底板１１に連結する。
【００２４】
上記構成によると、脚２０は、連結部材３０を軸にして、回転自在とされる。これにより、脚２０は、図６に示すような、キャビネット１０の外郭から脚２０の一部、すなわち、長手方向の両側端部が突出する設置姿勢と、図７に示すような、底板１１の外郭の範囲内に脚２０の全体が納まる収納姿勢とに切り替わる。
【００２５】
ここで、設置姿勢とは、室外機Ａを設置場所に載置する際の姿勢であって、脚２０がキャビネット１０の短手方向に対して平行に位置し、脚２０の両端部がキャビネット１０の前後から突出した状態である。
【００２６】
収納姿勢とは、室外機Ａを運搬したり、梱包したりする際の姿勢であって、キャビネット１０の上方から見て、脚２０が底板１１の外郭の範囲から突出しない状態である。具体的には、設置姿勢から脚２０を約４５度回転させ、キャビネット１０の上方から見て、左右の脚２０がハの字状となるように位置した状態である。
【００２７】
各姿勢は、図５に示すように、凸部２２と凹部１３とによって維持される。具体的には、脚２０を回転させる。凸部２２は、回転円周上に形成される凹部１３に嵌合する。凸部２２が凹部１３に嵌合することで、脚２０の回転を規制され、各姿勢が維持される。
【００２８】
凸部２２は、スリット２３によって上下に変位する。そのため、脚２０の回転方向に力を加えると、凸部２２は、凹部１３の壁面に沿って下方に押され、スリット２３の一方の切り込み端と他方の切り込み端とを結んだ線を軸にして、凸部２２が下方に変位する。そのため、凸部１３は、凹部１３から外れ、脚２０が回転可能となる。
【００２９】
これにより、脚２０が収納姿勢の場合、脚２０は、室外機Ａの外郭の範囲内に納まる。そのため、落下や衝突等による脚２０の変形を防止できる。また、突出した脚２０を梱包する緩衝材を削減できる。
【００３０】
脚２０が設置姿勢の場合、脚２０の両端部は、室外機Ａの外郭の前後から突出する。そのため、室外機Ａを安定して支持できる。また、突出した脚２０を、設置場所や据付け台等に容易に固定できる。
【００３１】
なお、本発明は、上記実施形態に限定されるものではなく、本発明の範囲内で上記実施形態に多くの修正および変更を加え得ることは勿論である。例えば、本実施形態では、脚に凸部が形成され、底板に凹部が形成されているが、脚側が凹部で底板側が凸部でも良い。
【００３２】
凹部の形状も特にこの限りではなく、例えば、図８に示すように、穴１４であっても良い。この場合、穴１４の直径が凸部２２の直径よりも大の方が好ましい。
【００３３】
本実施形態では、底板および脚に穴がそれぞれ形成され、その穴に連結部材を挿通しているが、一方を凹部に形成し、他方を凸部に形成して、凹部に凸部を挿入勘合させて連結しても良い。この場合、凹部の入り口の径は小さく形成し、奥の径を大きく形成する。凸部では、その先端の径を大きく形成する。そして、凹部に対して凸部を圧入する。これにより、凸部の先端は凹部の入り口部分に引っ掛かり、抜け防止となる。
【００３４】
本実施形態では、連結部材を用いたが、連結部材を用いずに底板か脚のどちらかまたは両方で連結部材と同様の機能を持たせても良い。
【図面の簡単な説明】
【００３５】
【図１】本実施形態に係る脚の取付構造を備えた分離型空気調和機の室外機の斜視図
【図２】底板と脚の上面図
【図３】脚と底板の連結部分の詳細断面図
【図４】凸部の詳細上面図
【図５】凸部が凹部に嵌合したときの詳細断面図
【図６】脚が設置姿勢のときの室外機の上面図
【図７】脚が収納姿勢のときの室外機の上面図
【図８】凸部が凹部に嵌合したときの詳細断面図
【図９】従来例の室外機の上面図
【符号の説明】
【００３６】
１０  キャビネット
１１  底板
１２  穴
１３  凹部
１４  穴
２０  脚
２１  穴
２２  凸部
２３  スリット
２４  バーリング
３０  連結部材
３１  軸
３２  フランジ
３３  カシメ部
５０  底板
５１  脚
Ａ  室外機
Ｂ  室外機
【図１】
2009014317.tif 000003
【図２】
2009014317.tif 000004
【図３】
2009014317.tif 000005
【図４】
2009014317.tif 000006
【図５】
2009014317.tif 000007
【図６】
2009014317.tif 000008
【図７】
2009014317.tif 000009
【図８】
2009014317.tif 000010
【図９】
2009014317.tif 000011